(57)【要約】【目的】  比較的廉価で汚染や破損の可能性が少なく、広告場所の確保が容易な便所内の広告装置の提供を課題とする。【構成】  便所内広告装置１を便器の便蓋２の内側に取り付け可能な透明カバー１１と、この透明カバー１１と便蓋２との間に収納される広告手段１２とで構成する。【選択図】            図１
2005141135.tif 000002
【特許請求の範囲】
【請求項１】
便器の便蓋に取り付け可能な透明カバーと、この透明カバーと前記便蓋との間に収容される広告手段とを有することを特徴とする便所内広告装置。
【請求項２】
前記透明カバーと前記広告手段とは前記便蓋の内側に取り付けられることを特徴とする請求項１に記載の便所内広告装置。
【請求項３】
前記透明カバーと前記広告手段とは前記便蓋の外側に取り付けられることを特徴とする請求項１に記載の便所内広告装置。
【請求項４】
前記透明カバーと前記広告手段とは前記便蓋の内側及び外側の両面に取り付けられることを特徴とする請求項１に記載の便所内広告装置。
【請求項５】
前記透明カバーの前記便蓋への取り付けは特殊ねじによって行われることを特徴とする請求項１乃至請求項４のいずれかに記載の便所内広告装置。
【請求項６】
前記透明カバーの前記便蓋への取り付けはリベット止めによって行われることを特徴とする請求項１乃至請求項４のいずれかに記載の便所内広告装置。
【請求項７】
前記透明カバーは前記便蓋へ固着され、前記広告手段は前記透明カバーと前記便蓋の隙間から挿入されて収納されることを特徴とする請求項１乃至請求項４のいずれかに記載の便所内広告装置。
【請求項８】
前記広告手段はポスターなど紙又は板上に描かれたものであることを特徴とする請求項１乃至請求項７のいずれかに記載の便所内広告装置。
【請求項９】
前記広告手段は液晶表示装置などのディスプレイ装置であることを特徴とする請求項１乃至請求項７のいずれかに記載の便所内広告装置。
【請求項１０】
前記広告手段が両面から観察が可能な両面型のディスプレイ装置であり、前記便蓋の内側と外側から観察可能に前記便蓋内に埋め込まれ、その両面に前記透明カバーが設けられていることを特徴とする請求項１に記載の便所内広告装置。
【請求項１１】
前記広告手段に前記ディスプレイ装置とともに作動する音声再生装置が含まれることを特徴とする請求項９又は請求項１０に記載の便所内広告装置。
【請求項１２】
利用者の位置を検出する利用者センサ手段を有し、前記ディスプレイ装置は前記利用者センサ手段が利用者の接近を検出した際に作動を開始し、利用者が離れたことを検出した後で作動を停止することを特徴とする請求項９乃至請求項１１のいずれかに記載の便所内広告装置。
【請求項１３】
利用者の前記便器への着座を検出する着座センサ手段を有し、この着座センサ手段が着座検出中は前記ディスプレイ装置の作動を停止することを特徴とする請求項９乃至請求項１２のいずれかに記載の便所内広告装置。
【請求項１４】
前記便蓋の開閉を検出する便蓋開閉センサ手段を有し、前記ディスプレイ装置が前記便蓋の内側に取り付けられる場合はこの便蓋開閉センサ手段が前記便蓋が閉じていることを検出している間は前記ディスプレイ装置の作動を停止し、前記ディスプレイ装置が前記便蓋の外側に取り付けられる場合はこの便蓋開閉センサ手段が前記便蓋が開いていることを検出している間は前記ディスプレイ装置の作動を停止することを特徴とする請求項９または請求項１１乃至請求項１３のいずれかに記載の便所内広告装置。
【請求項１５】
前記広告手段の電源供給は前記便蓋との接続部を介して便器本体を経由して行われることを特徴とする請求項１乃至請求項１４のいずれかに記載の便所内広告装置。
【請求項１６】
前記便蓋又は前記便器本体に電池手段を有し前記広告手段の電源供給はこの電池手段から行われることを特徴とする請求項１乃至請求項１４のいずれかに記載の便所内広告装置。
【請求項１７】
前記広告手段の交換は前記便蓋ごと取り替えて行うことを特徴とする請求項１乃至請求項１６のいずれかに記載の便所内広告装置。
【請求項１８】
便器用貯水タンクの蓋部と一体の構成された広告板を有し、この広告板に取り付け可能な透明カバーと、この透明カバーと前記広告板との間に収容される広告手段とを有することを特徴とする便所内広告装置。
【請求項１９】
前記透明カバーの前記広告板への取り付けは特殊ねじによって行われることを特徴とする請求項１８に記載の便所内広告装置。
【請求項２０】
前記透明カバーの前記広告板への取り付けはリベット止めによって行われることを特徴とする請求項１８に記載の便所内広告装置。
【請求項２１】
前記透明カバーは前記広告板へ固着され、前記広告手段は前記透明カバーと前記便蓋の隙間から挿入されて収納されることを特徴とする請求項１８に記載の便所内広告装置。
【請求項２２】
前記広告手段はポスターなど紙又は板上に描かれたものであることを特徴とする請求項１８乃至請求項２１のいずれかに記載の便所内広告装置。
【請求項２３】
前記広告手段は液晶表示装置などのディスプレイ装置であることを特徴とする請求項１８乃至請求項２１のいずれかに記載の便所内広告装置。
【請求項２４】
前記広告手段に前記ディスプレイ装置とともに作動する音声再生装置が含まれることを特徴とする請求項２３に記載の便所内広告装置。
【請求項２５】
利用者の位置を検出する利用者センサ手段を有し、前記ディスプレイ装置は前記利用者センサ手段が利用者の接近を検出した際に作動を開始し、利用者が離れたことを検出した後で作動を停止することを特徴とする請求項２３又は請求項２４に記載の便所内広告装置。
【請求項２６】
前記広告手段の交換は前記蓋部ごと取り替えて行うことを特徴とする請求項１８乃至請求項２５のいずれかに記載の便所内広告装置。
【発明の詳細な説明】
【技術分野】
【０００１】
本発明は、広告宣伝装置に関し、ことに、便所内で便器の便蓋や貯水タンクの表面に設けられる広告宣伝装置に関する。
【背景技術】
【０００２】
公衆便所などに広告を設けるという考え方は従来から知られている。例えば、用便中に利用者の視線が向かう位置にディスプレイを設け、利用者の接近をセンサーが検出して静止画又は動画の広告を表示する装置や方法が報告されている（たとえば、特許文献１乃至特許文献４参照。）。しかしながら、このようなディスプレイを便器１台１台に取り付けて画像表示を行うとすると装置が高価なものになるという欠点がある。さらに、より廉価にするために単なるポスターなどを貼った場合では汚れたり破損したりいたずらされたりして広告宣伝効果が長時間保てないという問題がある。また、ポスターなどは貼り付けや交換には以外に手間や時間がかかってしまうという問題もある。さらに、また、用便中に使用者の視線が向かう適切なディスプレイの設置位置がかならずしも空いているとは限らないという問題がある。
【特許文献１】特表２００３−５１７１５９
【特許文献２】特表２００３−５０８６５７
【特許文献３】特表２００２−２２１９２７
【特許文献４】特表２００２−１５５５６４
【発明の開示】
【発明が解決しようとする課題】
【０００３】
従来の便所内の広告装置は、利用者の視線が向かう位置にディスプレイを設置して静止画や動画を表示するものが多かった。しかし、このような装置は高価なものになってしまうし、必ずしも設置に適した位置が空いているとは限らない。また、廉価なポスターなどでは汚染や破損の問題が多く、かつ貼り付けや交換に手間が係ってしまうという問題があった。
本発明は、これらの問題を解決して、比較的廉価で汚染や破損の可能性が少なく、広告場所の確保が容易な便所内の広告装置の提供を課題とする。
【課題を解決するための手段】
【０００４】
上記課題を解決するため、本発明の第１の態様に係る便所内広告装置は、便器の便蓋に取り付け可能な透明カバーと、この透明カバーと前記便蓋との間に収容される広告手段とを有することを特徴とする。
【０００５】
上記課題を解決するため、本発明の第２の態様に係る便所内広告装置は第１の態様において、前記透明カバーと前記広告手段とは前記便蓋の内側に取り付けられることを特徴とする。
【０００６】
上記課題を解決するため、本発明の第３の態様に係る便所内広告装置は第１の態様において、前記透明カバーと前記広告手段とは前記便蓋の外側に取り付けられることを特徴とする。
【０００７】
上記課題を解決するため、本発明の第４の態様に係る便所内広告装置は第１の態様において、前記透明カバーと前記広告手段とは前記便蓋の内側及び外側の両面に取り付けられることを特徴とする。
【０００８】
上記課題を解決するため、本発明の第５の態様に係る便所内広告装置は第１乃至第４のいずれかの態様において、前記透明カバーの前記便蓋への取り付けは特殊ねじによって行われることを特徴とする。
【０００９】
上記課題を解決するため、本発明の第６の態様に係る便所内広告装置は第１乃至第４のいずれかの態様において、前記透明カバーの前記便蓋への取り付けはリベット止めによって行われることを特徴とする。
【００１０】
上記課題を解決するため、本発明の第７の態様に係る便所内広告装置は第１乃至第４のいずれかの態様において、前記透明カバーは前記便蓋へ固着され、前記広告手段は前記透明カバーと前記便蓋の隙間から挿入されて収納されることを特徴とする。
【００１１】
上記課題を解決するため、本発明の第８の態様に係る便所内広告装置は第１乃至第７のいずれかの態様において、前記広告手段はポスターなど紙又は板上に描かれたものであることを特徴とする。
【００１２】
上記課題を解決するため、本発明の第９の態様に係る便所内広告装置は第１乃至第７のいずれかの態様において、前記広告手段は液晶表示装置などのディスプレイ装置であることを特徴とする。
【００１３】
上記課題を解決するため、本発明の第１０の態様に係る便所内広告装置は第１の態様において、前記広告手段が両面から観察が可能な両面型のディスプレイ装置であり、前記便蓋の内側と外側から観察可能に前記便蓋内に埋め込まれ、その両面に前記透明カバーが設けられていることを特徴とする。
【００１４】
上記課題を解決するため、本発明の第１１の態様に係る便所内広告装置は第９または第１０の態様において、前記広告手段に前記ディスプレイ装置とともに作動する音声再生装置が含まれることを特徴とする。
【００１５】
上記課題を解決するため、本発明の第１２の態様に係る便所内広告装置は第９乃至第１１のいずれかの態様において、利用者の位置を検出する利用者センサ手段を有し、前記ディスプレイ装置は前記利用者センサ手段が利用者の接近を検出した際に作動を開始し、利用者が離れたことを検出した後で作動を停止することを特徴とする。
【００１６】
上記課題を解決するため、本発明の第１３の態様に係る便所内広告装置は第９乃至第１２のいずれかの態様において、利用者の前記便器への着座を検出する着座センサ手段を有し、この着座センサ手段が着座検出中は前記ディスプレイ装置の作動を停止することを特徴とする。
【００１７】
上記課題を解決するため、本発明の第１４の態様に係る便所内広告装置は第９または第１１乃至第１３のいずれかの態様において、前記便蓋の開閉を検出する便蓋開閉センサ手段を有し、前記ディスプレイ装置が前記便蓋の内側に取り付けられる場合はこの便蓋開閉センサ手段が前記便蓋が閉じていることを検出している間は前記ディスプレイ装置の作動を停止し、前記ディスプレイ装置が前記便蓋の外側に取り付けられる場合はこの便蓋開閉センサ手段が前記便蓋が開いていることを検出している間は前記ディスプレイ装置の作動を停止することを特徴とする。
【００１８】
上記課題を解決するため、本発明の第１５の態様に係る便所内広告装置は第１乃至第１４のいずれかの態様において、前記広告手段の電源供給は前記便蓋との接続部を介して便器本体を経由して行われることを特徴とする。
【００１９】
上記課題を解決するため、本発明の第１６の態様に係る便所内広告装置は第１乃至第１４のいずれかの態様において、前記便蓋又は前記便器本体に電池手段を有し前記広告手段の電源供給はこの電池手段から行われることを特徴とする。
【００２０】
上記課題を解決するため、本発明の第１７の態様に係る便所内広告装置は第１乃至第１６のいずれかの態様において、前記広告手段の交換は前記便蓋ごと取り替えて行うことを特徴とする。
【００２１】
上記課題を解決するため、本発明の第１８の態様に係る便所内広告装置は、便器用貯水タンクの蓋部と一体の構成された広告板を有し、この広告板に取り付け可能な透明カバーと、この透明カバーと前記広告板との間に収容される広告手段とを有することを特徴とする。
【００２２】
上記課題を解決するため、本発明の第１９の態様に係る便所内広告装置は第１８の態様において、前記透明カバーの前記広告板への取り付けは特殊ねじによって行われることを特徴とする。
【００２３】
上記課題を解決するため、本発明の第２０の態様に係る便所内広告装置は第１８の態様において、前記透明カバーの前記広告板への取り付けはリベット止めによって行われることを特徴とする。
【００２４】
上記課題を解決するため、本発明の第２１の態様に係る便所内広告装置は第１８の態様において、前記透明カバーは前記広告板へ固着され、前記広告手段は前記透明カバーと前記便蓋の隙間から挿入されて収納されることを特徴とする。
【００２５】
上記課題を解決するため、本発明の第２２の態様に係る便所内広告装置は第１８乃至第２１のいずれかの態様において、前記広告手段はポスターなど紙又は板上に描かれたものであることを特徴とする。
【００２６】
上記課題を解決するため、本発明の第２３の態様に係る便所内広告装置は第１８乃至第２１のいずれかの態様において、前記広告手段は液晶表示装置などのディスプレイ装置であることを特徴とする。
【００２７】
上記課題を解決するため、本発明の第２４の態様に係る便所内広告装置は第２３の態様において、前記広告手段に前記ディスプレイ装置とともに作動する音声再生装置が含まれることを特徴とする。
【００２８】
上記課題を解決するため、本発明の第２５の態様に係る便所内広告装置は第２３又は第２４の態様において、利用者の位置を検出する利用者センサ手段を有し、前記ディスプレイ装置は前記利用者センサ手段が利用者の接近を検出した際に作動を開始し、利用者が離れたことを検出した後で作動を停止することを特徴とする。
【００２９】
上記課題を解決するため、本発明の第２６の態様に係る便所内広告装置は第１８乃至第２５のいずれかの態様において、前記広告手段の交換は前記蓋部ごと取り替えて行うことを特徴とする。
【発明の効果】
【００３０】
このように本発明の便所内広告装置は、便器の便蓋の内側又は外側又は両面に特殊ねじなどを用いて取り付けた透明カバーと便蓋との間に広告手段を収納するようにしたので、広告場所の確保が容易であり、汚染や破損に合う虞やいたずらされる可能性が比較的少なく、また、用便の際には利用者の視線が必ず一度は向かうので広告手段に廉価なポスターなどを用いた場合でも充分な広告効果が得られる利点がある。
【００３１】
さらに、広告装置に液晶表示装置などのディスプレイ装置を用いた場合には、広告表示内容の変更や動画の表示が容易になり、一層の広告宣伝効果が望める。ディスプレイ装置を用いる場合には、利用者の接近を検出するセンサ、利用者の便器への着座を検出するセンサ、便蓋の開閉を検出するセンサなどを設け、利用者が接近したときディスプレイ装置や音声再生装置に電源が入り、離れたとき切断されるようにし、また、便蓋が閉まっているかどうか利用者が着座しているかどうかを判定して、利用者が観察できる場合だけディスプレイ装置が作動するようにして電力消費を低減するようにしている。また、ディスプレイ装置に両面タイプの物を用いれば、便蓋の開閉に関係なく利用者は広告宣伝の表示を観察できるのでさらに宣伝効果が高まる。
【００３２】
なお、電源は便蓋と便器本体の接続部から便器本体を経由して商用電源を取るか内蔵の電池手段から取るようにして、比較的目立たなくし、いたずらを防止するようにすることができる。便所内は比較的作業できる空間が狭いので広告手段の交換は便蓋ごと行うと、かえって交換の効率が上がる。
【００３３】
さらにまた、本発明の他の便所内広告装置は、便器用貯水タンクの蓋部と一体の広告板に特殊ねじなどを用いて取り付けた透明カバーと便蓋との間に広告手段を収納するようにしたので、広告場所の確保が容易であり、汚染や破損に合う虞やいたずらされる可能性が比較的少なく、また、用便の際には利用者の視線が必ず一度は向かうので広告手段に廉価なポスターなどを用いた場合でも充分な広告効果が得られる利点がある。
【００３４】
さらに、この場合も、広告装置に液晶表示装置などのディスプレイ装置を用いた場合には、広告表示内容の変更や動画の表示が容易になり、一層の広告宣伝効果が望める。ディスプレイ装置を用いる場合には、利用者の接近を検出するセンサなどを設け、利用者が接近したときディスプレイ装置や音声再生装置に電源が入り、離れたとき切断するようにして電力消費を低減することができる。広告手段の交換は蓋部ごと行うと、かえって交換の効率が上がる。
【発明を実施するための最良の形態】
【００３５】
図１に、本発明の便所内広告装置の一実施の形態の外観斜視図を示す。図１において、符号１は本発明の便所内広告装置、符号２は便蓋、符号３は便器本体、符号４は便座、符号１１は透明カバー、符号１２は広告手段、符号１３は特殊ねじである。
この実施例では、紙や板の上に広告内容が印刷されているポスターなどの広告手段１２を合成樹脂などで作られた透明カバー１１で押さえて、特殊ねじ１３で便蓋２に取り付けている。
【００３６】
このように本発明の便所内広告装置１では、広告手段１２は透明カバー１１で押さえられて便蓋２に取り付けられているので、便器の使用者は必ず一度は視線を向けることになり、そのため宣伝効果は大きい。特に、便蓋２が閉じられていた場合、便蓋２をあけると広告手段１２が表れるので、ことに印象が強く、宣伝効果が大きい。
【００３７】
図２は、本発明の他の実施の形態の便蓋２部分の側面図を示したものである。この図で符号は図１の第１の実施の形態と同じ番号で示した。この例では、便蓋２の両面に広告手段１２が透明カバー１１で抑えられて取り付けられている。その透明カバー１１は特殊ねじ１３又はリベットで便蓋２に止められている。また、広告手段１２と透明カバー１１を便蓋２の外側だけに設けても良い。
【００３８】
広告手段１２と透明カバー１１とを便蓋２に止めている特殊ねじ１３は、いわゆるいたずら防止ねじ（Ｔａｍｐｅｒ  Ｒｅｓｉｓｔａｎｔ  Ｆａｓｔｅｎｅｒｓ）で専用の工具がないと取り外しができないようになっている。したがって、いたずらで取り外されたり、破られたり汚されたりすることを防ぐことができ、長時間に亙って安定に広告を行うことができる。特殊ねじ１３の代わりにリベットなどで透明カバー１１を便蓋２に固着しておいてもよい。この場合、広告手段１２の交換などの時には、リベットを切断して、改めて打ち直すようにする。
【００３９】
この実施の形態では、広告手段１２の取替えや更新は、便蓋２ごと交換するようにしてもよい。便所内などの現場では狭くて作業性が悪く、取り付け取り外しに時間がかかるため、便蓋２を作業場に持ち帰って、一度に多数の広告手段１２を取替えた方が効率が良いためである。
【００４０】
図３に、本発明の第３の実施の形態の便所内広告装置１と便蓋２との平面図を示す。符号は図１、図２と同じ番号で示した。この実施の形態では、透明カバー１１が一辺が開いたポケット状に構成されており、ポケットの開いた部分の隙間から広告手段１２を引き出し、挿入して交換する。この場合、広告手段１２の裏面に金具をつけておき、鉤などで引っ掛けるようにすると取り出し易い。この例では、隙間が狭いため、指などは入らないため、いたずらされる虞は少ない。さらに、ポケットの開いた部分に特殊ねじ１３を打っておくといたずらを完全に防ぐことができる。
【００４１】
図４に本発明の第４の実施の形態の便所内広告装置１と便蓋２との平面図と一部平面図を、図５にこの実施の形態の使用例を示す。図４及び図５において、図１乃至図３と同等の機能を有する要素については図１乃至図３と同じ番号の符号を付している。
【００４２】
この実施の形態では、広告手段として、液晶ディスプレイなどのディスプレイ装置１５を用いている。このディスプレイ装置１５は便蓋２に埋め込まれており、その電源及び信号ケーブル１６は便器本体との接続部から引き出されてコネクタ１７で便器本体内の制御装置や電源端子に接続される。図４（a）はケーブル１６が便蓋２の接続部の軸から引き出されている例を、図４（ｂ）は止ねじの中心の空洞から引き出されている例を示している。ディスプレイ装置１５には静止画像、動画像が表示可能であり、このディスプレイ装置１５に連動して働く図示しない音声再生装置からの音声信号を再生するスピーカ１８がやはり便蓋２に設けられている。
【００４３】
このディスプレイ装置１５や音声再生装置を制御する制御装置は例えば便器本体３内に収納されている。ディスプレイ装置１５に出力される画像信号や音声再生装置がスピーカ１８で再生する音声信号は、記憶媒体に記録されて制御装置内に装着されて再生されても良いし、制御装置内に通信手段を設け、この通信手段が無線通信やインターネットを介して受信して記憶手段にダウンロードしそれを再生しても良い。
【００４４】
図５の使用例は、本実施の形態が温水洗浄器付きの便器に用いられた例を示している。本実施の形態の便所内広告装置１は、便器の便蓋２に埋め込まれて収納されている。画像表示は透明カバー１１を有するディスプレイ装置１５で行われる。ディスプレイ装置１５の傍にはスピーカ１８が設けられている。ディスプレイ装置１５及びスピーカ１８の制御は、便器本体３内、たとえば温水洗浄装置の制御ボックス５内に収納されている制御装置によって行われる。ディスプレイ装置１５及びスピーカ１８への電源や信号の供給は、図４に示したようにケーブル１６やコネクタ１７を介して、便器本体３の制御装置や電源端子に接続されておこなわれる。電源は、温水洗浄装置のそれと共通に用いることができる。あるいは、便蓋２内や便器本体３内に乾電池や充電池を収納する電池ボックスを設けてそれから電源を取るようにしても良い。
【００４５】
この使用例では、便所内に設けられた図示しない利用者センサが利用者の接近を検出すると、制御装置は動作を開始し、蓋開閉センサ２１が便蓋２が開いていることを検出すると、ディスプレイ装置１５に広告映像を表示し、それに対応した音声信号をスピーカ１８から流す。便蓋２が閉じていて利用者があけた場合はその時点から広告映像と音声信号が再生される。ここで、便座４に設けられた図示しない着座センサが利用者の便座４への着座を検出すると、制御装置はディスプレイ装置１５への広告映像の表示を一旦停止する。これは、着座時は利用者が便蓋２に対して後ろ向きになっていて表示する必要が無いためである。利用者が便座４から立ち上がると、再び広告映像が表示される。利用者センサには公知の赤外線センサなどを用いることができる。着座センサは温水洗浄装置で用いられているものを共通に利用することができる。利用者は水道６からの水が貯められる貯水タンク７のレバーを操作して排水する。
【００４６】
このようにすると、利用者は便器に向かったときないしは便蓋２をあけたとき、及び、排水を行うときに、少なくとも１度乃至２度は、ディスプレイ装置１５に表示される広告映像に目をとめ、スピーカ１８から流れる音声信号を聞くことになり、これによって広告宣伝効果が生まれる。利用者センサが利用者が便器から離れたことを検出すると、広告映像及び音声信号の出力は停止され、電力消費を節約する。
【００４７】
以上の例では、透明カバー１１とディスプレイ装置１５を便蓋２の内側に取り付けた場合について述べたが、透明カバー１１とディスプレイ装置１５を便蓋２の外側に取り付けてもよく、また、内外の両面に取り付けても良い。ディスプレイ装置１５が便蓋２の外側に取り付けられた場合は、蓋開閉センサ２１が便蓋２が閉じていることを検出すると、ディスプレイ装置１５に広告映像を表示し、それに対応した音声信号をスピーカ１８から流すようにする。両面にディスプレイ装置１５が設けられている場合は、蓋の開閉に応じてディスプレイ装置１５をオンオフする必要が無いので、便蓋開閉センサ２１を設ける必要はない。また、両面にディスプレイ装置１５を設ける代わりに、両面型の液晶表示装置などのディスプレイ装置１５を蓋内に埋め込んで、両面に透明カバー１１を設け、両面から見えるようにすることもできる。
【００４８】
図６に本発明の第５の実施の形態の便所内広告装置１の外観図を示す。図６において、図１乃至図５と同等の機能を有する要素については図１乃至図５と同じ番号の符号を付している。
この実施の形態は、便所内広告装置１を三角貯水タンク８の蓋部８１と一体に構成された広告板８３に設けたものである。広告板８３は、蓋部８１が三角貯水タンク８を蓋したとき、三角貯水タンク８の前面に来るようになっている。便所内広告装置１の透明カバー１１と広告手段１２は図１などに示したと同様な方法で、例えば特殊ねじ１３やリベット止めで広告板８３に取り付けられている。あるいは、図３の例と同様に、透明カバー１１は広告板３に固着されていて、一部開いた隙間から広告手段１２挿入される形式でも良い。この実施の形態では、広告手段１２を取り替える場合には、蓋部８１と広告板８３ごと交換するようにしてもよい。そのほうが作業効率が良く、また、蓋部８１の清掃を同時に行うことになるので、便所内広告装置１を設置する側にも好ましいからである。
【００４９】
また、広告手段１２にディスプレイ装置１５を用いることも可能である。この場合は、図４に示した第４の実施の形態の場合と同様に、スピーカ１８や利用者センサを設けても良い。以上のように三角貯水タンク８の広告板８３に便所内広告装置１を設けるようにすると、便所内で用便中やレバー８２を動かして水道蛇口８４から水を流して手洗いする際に、広告板８３に設けられた広告手段１２に必ず視線が向くので宣伝効果は大きい。図６では三角貯水タンク８の例で図示して示したが、他の型の貯水タンクに用いても同様の効果を上げることができる。
【産業上の利用可能性】
【００５０】
以上に述べたように本発明の便所内広告装置では、利用者が用便や手洗いに際して少なくとも１乃至２度は注目する場所に広告を表示することができる。しかも、第１及び第２の実施の形態などでは、比較的廉価に汚れたり破損したりいたずらされること無く広告宣伝ができる。この時、広告の設置場所は他の目的には用いられず、必ず用意されていることになるので、広告を掲示する場所を探す必要が無く、充分な宣伝効果を上げることができる。また、第３の実施の形態などディスプレイ装置を用いる場合には、装置は高価にはなるが多様な広告宣伝形態をとることができ、印象的で効果的な広告宣伝を行うことができる。また、広告内容の更新、変更は容易であり、必要に応じて外部から緊急情報などを表示放送することもでき、また電力消費はかなりまで抑えることができる。また、本発明に用いられた利用者センサなどを用いて、便所が長時間に亙ってふさがっている場合には外部に警報などを発して、利用者の不測の事態などに備えることもできる。
【図面の簡単な説明】
【００５１】
【図１】本発明の便所内広告装置の一実施の形態の外観斜視図である。
【図２】本発明の第２の実施の形態の便所内広告装置１と便蓋２間径を示す側面図である。
【図３】本発明の第３の実施の形態の便所内広告装置１と便蓋２の平面図である。
【図４】本発明の第４の実施の形態の便所内広告装置１と便蓋２の平面図及び一部平面図である。
【図５】本発明の第４の実施の形態の使用例を示す斜視図である。
【図６】本発明の第５の実施の形態を示す斜視図である。
【符号の説明】
【００５２】
１    便所内広告装置
２    便蓋
３    便器本体
４    便座
５    制御ボックス
６    水道
７    貯水タンク
８    三角貯水タンク
１１  透明カバー
１２  広告手段
１３  特殊ねじ
１５  ディスプレイ装置
１６  ケーブル
１７  コネクタ
１８  スピーカ
２１  蓋開閉センサ
８１  蓋部
８２  レバー
８３  広告板
８４  水道蛇口
【図１】
2005141135.tif 000003
【図２】
2005141135.tif 000004
【図３】
2005141135.tif 000005
【図４】
2005141135.tif 000006
【図５】
2005141135.tif 000007
【図６】
2005141135.tif 000008